(57)【要約】  靴紐の端部（２）の取付け用のデバイスが、靴紐を挿入できる通路（４）を有する細長部材（３）を含む。前記細長部材（３）は、端に靴紐の端部（２）を収容するための開口（５）を含み、ここで靴紐のための通路（４）は、前記開口（５）まで延在し、靴紐が通路（４）に挿入されて、挿入された靴紐の端部（２）が折り返されて前記開口（５）に挿入された場合に、靴紐を引張って、開口（５）をわたって通路（４）において靴紐の一部（６）を締め付けて、前記靴紐の一部（６）を前記開口（５）において靴紐の端部（２）に対してしっかりと保持できるように構成されている。
2008531169.tif 000002
【特許請求の範囲】
【請求項１】
靴紐を挿入できる通路（４）を有する細長部材（３）と、前記細長部材（３）の端に前記靴紐の端部（２）を収容するための開口（５）とを含む、靴紐の端部（２）の取付け用のデバイスであって、前記靴紐のための前記通路（４）は、前記開口（５）まで延在し、かつ前記靴紐が前記通路（４）に挿入されて、前記挿入された靴紐の前記端部（２）が折り返されて前記開口（５）に挿入された場合に、前記靴紐を引張って、前記開口（５）をわたって前記通路（４）において前記靴紐の一部（６）を締め付けて、前記靴紐の前記一部（６）を前記開口（５）において前記靴紐の端部（２）に対してしっかりと保持できるように構成されている、デバイス。
【請求項２】
前記デバイスのフロント部が、前記通路（４）と連通する３つの孔（１０、１１、１２）を含む、請求項１に記載の靴紐の端（２）の取付け用デバイス。
【請求項３】
前記細長部材（３）の前記上部が、前記靴紐が前記デバイス内部にしっかりと保持される時に前記靴紐の別の部分（８）を載置する部分円筒状凹部（７）を含む、請求項２に記載の靴紐の端（２）の取付け用デバイス。
【請求項４】
前記デバイス（１）が、前記靴紐の前記一部（６）を前記開口（５）において前記靴紐の端部（２）に対してしっかりと保持するカウンター部分（９）を含む、請求項３に記載の靴紐の端（２）の取付け用デバイス。
【請求項５】
前記デバイス（１）が対称的に構成されていることを特徴とする請求項４に記載のデバイス。
【請求項６】
少なくとも１つの貴石を支持する請求項１〜５のいずれか一項に記載のデバイス。
【発明の詳細な説明】
【技術分野】
【０００１】
本発明は靴紐に関し、詳細には靴紐の端を保護するためのデバイスに関する。
【背景技術】
【０００２】
従来の靴紐の先金具（ａｎｇｌｅｔ）は、一般的にプラスチックから射出成形される。プラスチックの先金具の構造には、使用時の耐久性がなく、靴紐から外れてしまう傾向がある。
【０００３】
靴紐の端の保護用デバイスは、既に先行技術として存在する。米国特許第６，４２７，２９８号明細書には、一端における前開口と、その反対側における丸みのあるヘッドと、丸みのあるヘッドにある端部スロットと、端部スロットと前開口との間に延在する割れ目と、割れ目の第１の側に配置された少なくとも１つの突出部分と、割れ目の第２の側に配置され、かつ少なくとも１つの突出部分をそれぞれ収容するように構成された少なくとも１つの凹部分とを有する靴紐の先金具を開示されている。
【発明の開示】
【発明が解決しようとする課題】
【０００４】
本発明の目的は、簡単に装着しかつ取り外せる、靴紐の端部の取付け用のデバイスを提案することである。
【課題を解決するための手段】
【０００５】
この目的は、請求項１に記載のデバイスによって達成される。このデバイスは、靴紐を挿入できる通路を有する細長部材を含む。デバイスは、細長部材の端に靴紐の端部を収容するための開口をさらに含む。靴紐のための前記通路は前記開口まで延在し、靴紐が通路に挿入されて、および挿入された靴紐の端部が折畳まれて前記開口に挿入された場合に、靴紐を引張って、開口をわたって通路において靴紐の一部を締め付けて、前記靴紐の一部を前記開口において靴紐の端部に対してしっかりと保持できるように構成されている。
【０００６】
本発明は、以下、添付の図面を参照して好ましい実施形態の詳細な説明から、より理解されるであろう。
【発明を実施するための最良の形態】
【０００７】
本発明の好ましい実施形態によれば、図４〜１１は、操作終了時にデバイス内にしっかりと保持されるために、前記デバイス内部で靴紐の端（２）がどのように配置される必要があるかの異なる段階を示す。
【０００８】
まず、靴紐の端部（２）が、前記デバイスの前端上部に位置する第１の孔（１０）を通してデバイス内部に挿入される（図４および８）。前記端部（２）は、デバイスの底部側に位置する第２の細長孔（１１）を通って出てくる。その後、靴紐を折り返し、同じ細長孔（１１）を通して挿入し、通路を横断してデバイスの上側から第３の孔（１２）を通して出す（図５および９）。次に靴紐の端部（２）を引張り、折り返して細長部材（３）の端に置かれた開口（５）に挿入する（図６および１０）。図７に示すように、次に靴紐を反対方向へ引張って、開口（５）をわたって通路（４）において靴紐の一部（６）を締め付け、前記靴紐の一部（６）を前記開口（５）において靴紐の端部（２）に対してしっかりと保持するようにする。
【０００９】
デバイスは対称的に構成され、かつデバイスは靴紐の前記一部（６）を前記開口（５）において靴紐の端部（２）に対してしっかりと保持するカウンター部分（９）を含む。
【００１０】
細長部材（３）の上部は半円筒状凹部（７）を含み、靴紐がデバイス内部にしっかりと保持される時に、そこに前記靴紐の別の部分（８）が載置される。細長部材（３）の底部側を穿孔して、貴石を置くことができる。
【００１１】
このようなデバイスは、外部の影響に対して靴紐の端を保護する一方で、靴紐の端を定位置に置く。
【図面の簡単な説明】
【００１２】
【図１】上方前方側からのデバイスの斜視図である。
【図２】上方後方側からの前記デバイスの斜視図である。
【図３】デバイスの長手方向断面図である。
【図４】靴紐の端を前記デバイス内部にしっかりと保持するために必要な操作の第１段階を示すデバイスの断面図である。
【図５】前記操作の第２段階を示すデバイスの断面図である。
【図６】前記操作の第３段階を示す前記デバイスの断面図である。
【図７】操作終了時、および靴紐の端が前記デバイス内部にしっかりと保持されている、デバイスの断面図である。
【図８−１１】靴紐の端を前記デバイスにしっかりと保持するために必要な段階を示す図４−７に対応するデバイスの斜視図である。
【図１】
2008531169.tif 000003
【図２】
2008531169.tif 000004
【図３】
2008531169.tif 000005
【図４】
2008531169.tif 000006
【図５】
2008531169.tif 000007
【図６】
2008531169.tif 000008
【図７】
2008531169.tif 000009
【図８】
2008531169.tif 000010
【図９】
2008531169.tif 000011
【図１０】
2008531169.tif 000012
【図１１】
2008531169.tif 000013
【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
靴紐を挿入できる通路（４）を有する細長部材（３）と、前記細長部材（３）の端に前記靴紐の端部（２）を収容するための開口（５）とを含む、靴紐の端部（２）の取付け用のデバイスであって、前記靴紐のための前記通路（４）は、前記靴紐が前記通路（４）に挿入されて、前記挿入された靴紐の前記端部（２）が折り返されて前記開口（５）に挿入された場合に、前記靴紐を引張って、前記開口（５）をわたって前記通路（４）に前記靴紐の一部（６）を締め付けることができるように構成されているデバイスにおいて、前記デバイスのフロント部が、前記通路（４）と連通する３つの孔（１０、１１、１２）を含み、第１および第２の孔（１０、１２）が前記通路（４）の上にあり、対向する第３の孔（１１）が前記通路（４）の下にあり、かつ全体的に第１の孔（１０）と第２の孔（１２）との間にあるので、前記靴紐を第１および第３の孔（１０、１１）を通して、そして戻すように前記第３のおよび第２の孔（１２、１１）を通して挿入し、その後前記靴紐の端部（２）を折り返して前記開口（５）に挿入することができ、前記通路（４）は、前記開口（５）まで延在して、前記靴紐が引張られる時に前記靴紐の前記締め付けられた部分（６）を前記靴紐の端部（２）に対してしっかりと保持できるように構成されていることを特徴とするデバイス。
【請求項２】
前記細長部材（３）の前記上部が、前記靴紐が前記デバイス内部にしっかりと保持される時に前記靴紐の別の部分（８）を載置する部分円筒状凹部（７）を含むことを特徴とする、請求項１に記載の靴紐の端（２）の取付け用デバイス。
【請求項３】
前記デバイス（１）が、前記靴紐の前記一部（６）を前記通路（４）において前記靴紐の端部（２）に対してしっかりと保持するカウンター部分（９）を含むことを特徴とする、請求項２に記載の靴紐の端（２）の取付け用デバイス。
【請求項４】
前記デバイス（１）が対称的に構成されていることを特徴とする請求項３に記載のデバイス。
【請求項５】
少なくとも１つの貴石を支持する請求項１〜４のいずれか一項に記載のデバイス。  
【国際調査報告】
2008531169.tif 000014
2008531169.tif 000015